(57)【要約】【課題】  流路のパチンコ球が流下する流下面に塵埃が溜まりにくいパチンコ機を提供すること。【解決手段】  所定条件の成立（入賞やＣＲ機などでの球貸し）によって所定量のパチンコ球を遊技者に供給するために駆動される払い出し装置４５を備え、上部に配置されたタンクＴから同払い出し装置４５に向かってパチンコ球が流下するように傾斜が設けられた流下面、例えばタンクレール４１のレール部などを備えたパチンコ機において、同流下面を流下方向に対して直行する方向に傾斜させるようにしたこと。【選択図】        図２
2011067676.tif 000002
【特許請求の範囲】
【請求項１】
少なくとも支持枠体と、同支持枠体に組み込まれた遊技者が対面して遊技を行うほぼ垂直な遊技面が形成された遊技台と、遊技者が操作することで遊技球を同遊技面上部に向かって発射させる発射操作機構と、所定条件の成立によって所定量のパチンコ球を遊技者に供給するために駆動される払い出し装置とを備え、上部に配置されたタンクから同払い出し装置に向かってパチンコ球が流下するように傾斜が設けられた流下面を備えた流路を形成したパチンコ機において、同流下面を流下方向に対して直行する方向に傾斜させるようにしたことを特徴とするパチンコ機。
【発明の詳細な説明】
【技術分野】
【０００１】
本発明は遊技機に関し、特にタンクから払い出し装置に向かってパチンコ球を導くための流路が設けられているパチンコ機に関するものである。
【背景技術】
【０００２】
パチンコ機においては入賞に伴って賞球が、あるいはいわゆるＣＲ機では購入したカードに従って貸し出される貸し球としてパチンコ機本体の前面側の上皿あるいは下皿にパチンコ球が供給される。これらパチンコ球は上部のタンクから球通路を経由して供給されている。流路の下端付近には払い出し装置が配設され、この払い出し装置が一種の関所の役割をし所定の賞球あるいは貸し球分をカウントして通過させるようになっている。
【発明の概要】
【発明が解決しようとする課題】
【０００３】
ところで一般的にパチンコホールではタンクには各島毎に樋が用意されこの樋から個々のパチンコ機のタンクにパチンコ球が補給されるようになっている。すなわちパチンコ球はパチンコホール内で大きく循環されていることとなる。そのため循環過程において塵埃がパチンコ球に付着し経年使用によってその塵埃の堆積が原因となって払い出し装置機が故障してしまう可能性があった。またこれら塵埃が溜まることでパチンコ球が流路を転がりにくくなってしまうことがあった。
本発明は、このような従来の技術に存在する問題点に着目してなされたものである。その目的とするところは、流路のパチンコ球が流下する流下面に塵埃が溜まりにくいパチンコ機を提供するものである。
【課題を解決するための手段】
【０００４】
上記の目的を達成するために、請求項１に記載の発明では、少なくとも支持枠体と、同支持枠体に組み込まれた遊技者が対面して遊技を行うほぼ垂直な遊技面が形成された遊技台と、遊技者が操作することで遊技球を同遊技面上部に向かって発射させる発射操作機構と、所定条件の成立によって所定量のパチンコ球を遊技者に供給するために駆動される払い出し装置とを備え、上部に配置されたタンクから同払い出し装置に向かってパチンコ球が流下するように傾斜が設けられた流下面を備えた流路を形成したパチンコ機において、同流下面を流下方向に対して直行する方向に傾斜させるようにしたことをその要旨とする。
このような構成では、流路の流下面がパチンコ球の流下方向に対して直交する方向に傾斜しているために塵埃は流下面において流下方向に対して直交する方向に寄っていくこととなってタンクから払い出し装置に向かって流下してくるパチンコ球由来の塵埃が途中の流下面に堆積しにくくなるためパチンコ球が転がりにくくなるということがない。また、パチンコ球が流下してくる途中で塵埃が除かれるため払い出し装置周辺に塵埃が堆積して払い出し装置の不具合が生じるといったこともなくなる。
【発明の効果】
【０００５】
請求項１に記載された発明では、流路の流下面がパチンコ球の流下方向に対して直交する方向に傾斜しているために塵埃は流下面において流下方向に対して直交する方向に寄っていくこととなってタンクから払い出し装置に向かって流下してくるパチンコ球由来の塵埃が途中の流下面に堆積しにくくなるためパチンコ球が転がりにくくなるということがない。また、パチンコ球が流下してくる途中で塵埃が除かれるため払い出し装置周辺に塵埃が堆積して払い出し装置の不具合が生じるといったこともなくなる。
【図面の簡単な説明】
【０００６】
【図１】本発明の実施の形態のパチンコ機の扉枠及びパチンコ機本体を開放した状態の斜視図。
【図２】同じパチンコ機の背面図。
【図３】実施の形態におけるタンクレールの正面図。
【図４】同じタンクレールの平面図。
【図５】同じタンクレールの端面図。
【図６】図２のＡ−Ａ線における断面図。
【図７】実施の形態における払い出し装置ユニットの斜視図。
【図８】同じ払い出し装置ユニットの側面図。
【図９】図８のＢ−Ｂ線における断面図。
【図１０】図９のＣ−Ｃ線における断面図。
【図１１】図９のＤ−Ｄ線における断面図。
【図１２】図９における球抜き機構周辺の拡大図。
【図１３】図９における球抜き機構周辺の拡大図。
【図１４】球詰まり解消機構の側面図。
【図１５】球受けレバー７５の斜視図。
【図１６】実施の形態２のタンクレールの正面図。
【図１７】図１６のＥ−Ｅ線における断面図。
【図１８】実施の形態３のタンクレールの正面図。
【図１９】図１８のＦ−Ｆ線における断面図。
【図２０】実施の形態４のタンクレールの正面図。
【図２１】図２０のＧ−Ｇ線における断面図。
【図２２】実施の形態５のタンクレールの正面図。
【図２３】図２２のＨ−Ｈ線における断面図。
【図２４】実施の形態６におけるタンクレールの正断面図。
【図２５】同じタンクレールの平面図。
【図２６】図２４のＩ−Ｉ線における断面位置での側面図。
【発明を実施するための形態】
【０００７】
以下、本発明をパチンコ機に応用した各実施の形態について図面に基づいて説明する。まず、図１に基づいてパチンコ機の概略を説明し、その後各実施の形態それぞれの固有の構成について説明する。尚、以下の概略説明においては前面側或いは表面側とは遊技者が正対する側をいう。左右とは遊技者側から見た左右方向をいう。
図１に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。外枠１にはパチンコ機本体４が装着されている。パチンコ機本体４はヒンジ金具６の回動軸６ａを中心に回動し外枠１に対して開閉可能とされている。パチンコ機本体４の上半身には遊技盤５が装着されている。遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。内レール１０の最下部位置にはアウト球回収口１７が形成されている。尚、釘については図示が省略されている。遊技盤５の周囲は額縁状の扉枠支持フレーム７にて包囲されている。扉枠支持フレーム７はパチンコ機本体４と一体的に形成されている。扉枠支持フレーム７の上部前面には水平方向に３つのランプ８が配設されている。
【０００８】
図１に示すように、遊技盤５の前面には前面枠としての扉枠１５が配設されている。扉枠１５はヒンジ金具６の回動軸６ａを中心に回動しパチンコ機本体４に対して開閉可能とされている。扉枠１５は閉じられた状態で前記扉枠支持フレーム７に当接する。扉枠１５はほぼ正方形の外形を有し、中央にほぼ正方形の大型の窓穴１６が形成されている。窓穴１６にはガラスＧがはめ込まれている。扉枠１５上方の上梁１９には水平方向に３つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には扉枠支持フレーム７に設けられた鍵穴２７を（図１参照）露出させるための台形の大きな切り欠き２８が形成されている。扉枠１５の背面側には同窓穴１６の全周囲に渡って同窓穴１６を包囲する金属製の補強フレーム２９が配設されている。
【０００９】
図２に示すように、遊技盤５の背面側には開閉可能に開閉盤としての機構盤２２がパチンコ機本体４に対して開閉可能に装着されている。機構盤２２は上下に配設されたヒンジ部２３によってパチンコ機本体４に支持されており、盤面に散点的に配置された開閉ピン２６の引き出し及び押し込みによってパチンコ機本体４に着脱される。機構盤２２の中央付近には大型開口部２２ａが形成されている。図２に示すように、パチンコ機本体４に対して機構盤２２が閉塞された状態で同大型開口部２２ａから遊技盤５の背面に配設された図柄表示装置ユニット３３及び制御装置ユニット３４が突出される。図柄表示装置ユニット３３は可変表示装置１３の制御を行う制御機構とされ、制御装置ユニット３４は賞球の排出等のパチンコ機の制御を行う制御機構とされている。両ユニット３３，３４は制御盤等がケース内に収納された外形とされており、外部からの塵埃の侵入が防止されている。
機構盤２２の上部にはタンクＴが配設されている。タンクＴの図２における右方には入出力基盤３０が配設されている。タンクＴ及び入出力基盤３０の下方であって大型開口部２２ａの外周に沿うように球払い出し機構Ｐが配設されている。球払い出し機構ＰはタンクＴから供給されるパチンコ球を図２において右方向に送出させるためのタンクレール４１と、同タンクレール４１と連結された払い出し装置ユニット４３と、同払い出し装置ユニット４３からカウントされたパチンコ球の供給を受ける後述する払い出し装置４５とにより構成されている。球払い出し機構Ｐのタンクレール４１及び払い出し装置ユニット４３については詳しく後述する。
払い出し機構Ｐの下方には同払い出し装置４５と連動したセーフ球処理機構Ｑが配設されている。セーフ球処理機構Ｑの図２における左方には発射操作機構制御装置ユニット３１と払い出し制御装置ユニット３２が配設されている。発射操作機構制御装置ユニット３１は後述する遊技球発射機構Ｒの制御を行う制御機構とされ、払い出し制御装置ユニット３２は賞球の払い出しの制御機構とされている。
【００１０】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、上面に上受け皿３６が載置されている。上部カバープレート３５の下方には下部カバープレート３７が配設されている。下部カバープレート３７はパチンコ機本体４に対して固着されている。下部カバープレート３７は前方に突出形成され、上面に下受け皿３８が載置されている。下受け皿３８は主として上受け皿３６に貯留しきれなかった遊技球を貯留するものである。下部カバープレート３７には灰皿４０が装着されている。下受け皿３８の右側方には発射操作機構としての操作ハンドル３９が取付けられている。
パチンコ機本体４下部であって操作ハンドル３９の背面側には遊技球発射機構Ｒが配設されている。図２に示すように、遊技球発射機構Ｒはパチンコ機本体４に対して機構盤２２が閉塞された状態で機構盤２２下部寄りに形成された切り欠部２２ｂから背面に向かって露出されている。
【００１１】
次に球払い出し機構Ｐのタンクレール４１及び同払い出し装置ユニット４３の構成について詳述する。尚、以下の説明においては前面側あるいは表面側とは図２に示す機構盤２２が現われている側、すなわち上記説明での背面側をいう。また、左右とは同図２における左右方向をいう（上記説明とは逆方向となる）。
（実施の形態１）
図２〜図６に示すように、タンクレール４１は機構盤２２表面に配設された一体成形により構成された樋状の部材である。タンクレール４１の前面には前面壁４６が立設されており、同前面壁４６と対向する背面側には同タンクレール４１を機構盤２２に装着するための背面壁４７が立設されている。図２に示すように、前面壁４６の上端はタンクＴの底面形状に沿って底面よりもわずかに低い位置、すなわちパチンコ球の直径以下となる若干の隙間が形成されるように延出されており、パチンコ球の万一の飛び出しが防止されている。前面壁４６と背面壁４７とは第１の流路４８ａ，４８ｂにて連結されている。図５及び図６に示すように、前後一対の第１の流路４８ａ，４８ｂは遮蔽壁４９によって仕切られ、それぞれ実際にパチンコ球が流下する流下面を構成するレール部５０を備えている。
従って、これら２本のレール部５０を流下してパチンコ球は２列縦隊で下流（図２において右方）に流下させられることとなる。各レール部５０の前方には下方に連通する長方形の連通孔５１が形成されている。連通孔５１は所定間隔で配置された梁４４にて補強されている。両レール部５０は左右方向に一直線に延びる板体であって、図６に示すように前方の連通孔５１に向かって前下がりの傾斜が設けられている。
図３及び図５に示すように、第１の流路４８ａ，４８ｂの左端にはタンクＴから落下するパチンコ球の落下衝撃を和らげるために湾曲して形成された緩衝部５２が形成されている。第１の流路４８ａ，４８ｂの右端には払い出し装置ユニット４３に連通する開口部５３が形成されている。前面壁４６の裏面側にはちょうど各レール部５０の上方に配置される球ならし５４が揺動可能に吊下げ支持されている。
【００１２】
次に、払い出し装置ユニット４３について図７〜図１５に基づいて詳しく説明する。払い出し装置ユニット４３はパチンコ球を払い出し装置４５に導く第２の流路５５ａ，５５ｂと、タンクＴからのパチンコ球の供給の有無を検出する球供給状態検出機構５７と、パチンコ機の廃棄等によってパチンコ機を島から取り外す際に同第２の流路５５内の球抜きを行うための球抜き機構５８と、球抜きを行う際にパチンコ球が排出される球抜き流路５９とより構成されている。これら各構成部材は前プレート６２ａ及び後プレート６２ｂによって挟持され箱状の概略外形とされている。払い出し装置ユニット４３は機構盤２２表面に配設されている。
図９に示すように、第２の流路５５ａ，５５ｂの上端にはタンクレール４１の第１の流路４８ａ，４８ｂの開口部５３が接続される導入口６０が形成されている。第２の流路５５は導入口６０から下方に向かって蛇行状に形成され下端の排出口６１にパチンコ球を導くようになっている。上記のようにタンクレール４１の第１の流路４８ａ，４８ｂ内においてパチンコ球は２列で下流に流下させられるようになるため、これに接続される第２の流路５５ａ，５５ｂも前後２列で形成されている。前後一対の第２の流路５５ａ，５５ｂは隔壁６４によって区画され、図８及び図９に示すように、排出口６１位置において後方側の第２の流路５５ｂが前方に若干延出されて前方側の第２の流路５５ａと左右に並んで構成されている（つまり、前後２列だったパチンコ球はこの段階で左右２列になる）。
【００１３】
各第２の流路５５ａ，５５ｂにおいてまず導入口６０から右下がりに流下面６３ａ，６３ｂが形成されている。図９〜図１１に示すように、流下面６３ａ，６３ｂは途中、具体的には図９におけるＰ位置（第２の流路５５ａ，５５ｂと球抜き流路５９との境界位置）を越えた位置からそれぞれ隔壁６４から前後方向に向かって下がるような（つまり前方側の流下面６３ａは前方に向かって下がり、後方側の流下面６３ｂは後方に向かって下がって）傾斜面６５が形成されている。各傾斜面６５と隔壁６４との間には若干の隙間６６が形成されている。隙間６６は下方位置の球抜き流路５９に連通されている。流下面６３ａ，６３ｂを流下するパチンコ球は反転流路６７、縦流路６８、ヘアピン流路６９を経て排出口６１に至る。
反転流路６７の右方には球供給状態検出機構５７が配設されている。球供給状態検出機構５７はタンクＴからパチンコ球が途切れることなく払い出し装置ユニット４３に供給されているかどうかを検出するための検出部である。球供給状態検出機構５７は検出レバー７１と光センサユニット７２とによって構成されている。
検出レバー７１は揺動可能に軸支されており、反転流路６７に至ったパチンコ球によってその感圧部７１ａが押動されることで後退させられる。すなわち、反転流路６７内にパチンコ球が充填されている限り常時押動状態にある。感圧部７１ａは湾曲して形成されておりパチンコ球の存在状態において感圧部７１ａ先端が当接斜板７４に当接し（図９における実線位置）反転流路６７の一部となってパチンコ球を反転させる案内面となる。パチンコ球が反転流路６７内に充填されている限り感圧部７１ａは図９の実線位置にあって遮蔽部７１ｂは光センサユニット７２の検出部７２ａの図示しない光軸を遮蔽しない位置に離間させられている。
一方、パチンコ球が途切れた際には検出レバー７１はその自重によって感圧部７１ａが図９の仮想線で示すように反転流路６７を塞ぐような配置位置とされる。この状態で検出レバー７１右方の遮蔽部７１ｂが光センサユニット７２の検出部７２ａの光軸を遮蔽する状態となり、光センサユニット７２はパチンコ球が途切れたことを検出する。
【００１４】
球供給状態検出機構５７の下方には球抜き機構５８が配設されている。球抜き機構５８はパチンコ機を廃棄処分等で島から取り外す際に内部に残ったパチンコ球を取り除くために後述する球抜き流路５９と一体となって使用される。
特に図９、図１２〜図１４に示すように、球抜き機構５８は球受けレバー７５とレバー固定フック７６とフック解除レバー７７とによって構成されている。球受けレバー７５は左方に延出された球受け板７５ａと斜め右下方に延出された重錘部７５ｂとより構成されている。重錘部７５ｂの下部には係合爪７５ｃが突設されている。球受けレバー７５は回動軸となるビス８２によって揺動可能に軸支されており、ビス８２を抜き取ることで着脱可能とされている。球受けレバー７５は常時は図１２に示すように係合爪７５ｃが後述する固定フック７６のフック部７６ｂにより揺動不能に支持されている。この揺動不能に支持された状態で球受けレバー７５は球受け板７５ａが第２の流路５５の一部となって反転流路６７から縦流路６８に至る間のパチンコ球の橋渡しの役割を担っている。
図９，図１２，図１３及び図１５に示すように、球受け板７５ａは全体としてパチンコ球を縦流路６８方向に導くために前下がりの二段の傾斜とされると同時に切り妻屋根状、すなわち図１５に示すように中央からそれぞれ前後方向に垂れ下がるような傾斜とされている。
図１４に示すように、球受け板７５ａの垂れた下端と前後プレート６２ａ，６２ｂとの間には若干の隙間８０が形成されている。
【００１５】
図１２及び図１３に示すように、前後プレート６２ａ，６２ｂからはみ出た右方位置にはフック解除レバー７７が配設されている。フック解除レバー７７は揺動可能に軸支された本体７７ａと板ばね７７ｂとレバー本体７７ｃとより構成されている。本体７７ａ上端にはプッシュボタン７８が形成されている。フック解除レバー７７と交錯するようにレバー固定フック７６が配設されている。レバー固定フック７６は本体７６ａと同本体７６ａの上部に形成されたフック部７６ｂと同本体７６ａに透設された係合孔７６ｃとより構成されている。前後プレート６２ａ，６２ｂ間に片持ち保持され常時は前記係合爪７５ｃとその固定フック７６とが係合状態とされている。フック解除レバー７７のレバー本体７７ｃはレバー固定フック７６の係合孔７６ｃ内に配置されている。
図１３に示すように、プッシュボタン７８を押動すると、レバー本体７７ｃは同図上反時計方向（図１３の矢印方向）に回動して係合孔７６ｃに当接する。すると図１２に示すように、レバー本体７７ｃはレバー固定フック７６図上反時計方向（図１２の矢印方向）に回動させこととなる。すると、球受けレバー７５は固定フック７６のフック部７６ｂの規制が解除されて図１４の仮想線で示す回動位置まで回動可能となる。
【００１６】
球受けレバー７５の下方には球抜き流路５９が形成されている。球抜き流路５９は球抜き機構５８が操作されて内部のパチンコ球が取り除かれる際のパチンコ球の流路となる。上記球受けレバー７５を図１４の仮想線で示す回動位置とすることによって常時は球受けレバー７５に導かれて縦流路６８方向に流下するパチンコ球がこの球抜き流路５９から流下する。尚、球抜き流路５９では第２の流路５５ａ，５５ｂを区画する隔壁６４はなくパチンコ球がこの流路を通過しやすくなっている。球抜き流路５９に排出されたパチンコ球は図２に示すようにセーフ球処理機構Ｑの内部通路８３を通って機外に導かれる。
図７に示すように、払い出し装置ユニット４３の図上右方には光センサユニット７２及び球受けレバー７５を包囲するためのカバー８５が着脱可能に配設されている。
【００１７】
次にこのように構成された実施の形態１の作用について説明する。
タンクレール４１の第１の流路４８ａ，４８ｂ及び払い出し装置ユニット４３の第２の流路５５ａ，５５ｂにはタンクＴから供給されたパチンコ球がそれぞれ前後２列で配列されている。この列の最先端は払い出し装置４５に隣接することとなる。制御装置ユニット３４からの命令に基づいて払い出し装置４５に所定のパチンコ球の排出命令があると払い出し装置４５は駆動されて所定の数のパチンコ球を下流に排出する。この排出されたパチンコ球は上受け皿３６（上受け皿３６が一杯になれば下受け皿３８）に送り出される。払い出し装置４５の駆動に同期してパチンコ球の列は払い出し装置４５が排出した分だけ新たに下流に送られその進んだ分だけ新たなパチンコ球がタンクＴから供給される。すなわち、球払い出し機構Ｐにおいては払い出し装置４５が次に一種の関所の役割を果たし、払い出し装置４５によって所定量のパチンコ球が排出されるとその分だけ上流から補充されることとなっている。払い出し装置４５は球供給状態検出機構５７によってタンクＴからのパチンコ球の供給が途絶えていると判断された際にはその駆動が停止される。
【００１８】
次に、タンクレール４１及び払い出し装置ユニット４３においてパチンコ球の塵埃がどのように外部に排出されていくかを説明する。
払い出し装置４５の駆動に伴い新たにタンクＴからタンクレール４１内の緩衝部５２に落下したパチンコ球は第１の流路４８ａ，４８ｂのそれぞれのレール部５０に案内されていく。パチンコ球はレール部５０の傾斜に従って図２において開口部５３（つまり右方）に向かって流下していく。このとき各レール部５０は前下がりに傾斜されているため、前後２列のパチンコ球はそれぞれ前面壁４６及び遮蔽壁４９遊技盤５の背面板６３に当接しながら開口部５３方向に流下していくこととなる。この第１の流路４８ａ，４８ｂ内において主として振動によってパチンコ球の塵埃が各レール部５０に落下する。塵埃はこの傾斜に従って前方側に移動していき前方の連通孔５１から下方に落下していくこととなる。
【００１９】
次いで、払い出し装置ユニット４３に至ったパチンコ球は導入口６０から第２の流路５５ａ，５５ｂ内に導入される。まずパチンコ球は流下面６３ａ，６３ｂを流下して反転流路６７に至る。この間において流下面６３ａ，６３ｂにはそれぞれ傾斜面６５が形成されており、この流下面６３ａ，６３ｂにおいて主として振動によってパチンコ球の塵埃が落下すると、傾斜面６５の傾斜に従って塵埃は傾斜面６５の傾斜に従って移動していき隙間６６から下方に落下していくこととなる。落下した塵埃は球抜き流路５９に排出されることとなる。
反転流路６７で反転されたパチンコ球は球抜き機構５８の一部をなす球受け板７５ａ上を流下して縦流路６８に至る。この間において球受け板７５ａには前後方向の傾斜が設けられているためこの球受け板７５ａおいて主として振動によってパチンコ球の塵埃が落下するとその傾斜に従って塵埃は移動していき隙間８０から下方に落下していくこととなる。落下した塵埃は球抜き流路５９に排出されることとなる。
その後、パチンコ球は縦流路６８からヘアピン流路６９を経て経て排出口６１から払い出し装置４５に導かれる。
【００２０】
このように構成することにより本実施の形態１は次のような効果を奏する。
（１）パチンコ球が落下する振動や遊技中に生ずる振動などで第１の流路４８ａ，４８ｂ内の各レール部５０に溜った塵埃は傾斜にしたがって前方に移動し、最終的に前方の連通孔５１から下方に落下することとなる。そのため、経年使用してもタンクレール４１内において塵埃が堆積してパチンコ球が転動しにくくなるといった不具合が生じる可能性が少なくなる。
（２）タンクレール４１の下方には機構盤２２側に突出した図柄表示装置ユニット３３や制御装置ユニット３４が配設されている。タンクレール４１の連通孔５１から下方に排出される塵埃は特に集塵されていないものの少なくともこのように埃の侵入しにくいユニット化された部材の上方に配置されているためこのように排出された塵埃が更に他の部材に悪影響を及ぼすおそれは少ない。
（３）パチンコ球が落下する振動や遊技中に生ずる振動などで第２の流路５５ａ，５５ｂ内の流下面６３ａ，６３ｂに溜った塵埃は傾斜面６５の傾斜にしたがって前後方向に移動し、最終的に前後の隙間６６から下方に落下することとなる。また、同様に球受け板７５ａに溜った塵埃も前後方向の傾斜にしたがって移動し、最終的に前後の隙間８０から下方に落下することとなる。
そのため、経年使用しても払い出し装置ユニット４３内において塵埃が堆積してパチンコ球が転動しにくくなるといった不具合が生じる可能性が少なくなる。
（４）流下面６３ａ，６３ｂは図９におけるＰ位置、つまり第２の流路５５ａ，５５ｂと球抜き流路５９との間の隔壁を越えた位置からそれぞれ隔壁６４方向に向かって下がるような傾斜面６５が設けられている。すなわち、傾斜面６５から隙間６６を通って落ちる塵埃は第２の流路５５ａ，５５ｂではなく常時は使用されない球抜き流路５９に排出されるため第２の流路５５ａ，５５ｂや払い出し装置４５に塵埃が堆積することがない。
（５）球受けレバー７５の球受け板７５ａに設けられた流下方向と直交する方向の傾斜に従って移動し隙間８０を通って落ちる塵埃は第２の流路５５ａ，５５ｂではなく常時は使用されない球抜き流路５９に排出されるため第２の流路５５ａ，５５ｂや払い出し装置４５に塵埃が堆積することがない。
【００２１】
（実施の形態２）
図１６及び図１７に示すように実施の形態１のタンクレール４１の下方に落下する塵埃を受け止める集塵ケース９１をビス９２によって着脱可能に装着するようにしてもよい。このようにすれば塵埃が下方に飛散することもなく、また、ある程度集塵できた段階で集塵ケース９１を外して掃除することも可能である。更に、集塵ケース９１に不具合が生じた場合に交換可能である。
（実施の形態３）
図１８及び図１９に示すように実施の形態１のタンクレール４１の下方に落下する塵埃を受け止める集塵ケース９３をビス９２によって着脱可能に装着するようにしてもよい。実施の形態３の集塵ケース９３は実施の形態２と異なり前面（遊技者側から見て背面側）が左右方向に大きく開口されており、実施の形態２のように着脱しなくとも内部を掃除することができるようになっている。勿論、集塵ケース９３自身に不具合が生じる可能性もあるため交換できるよう着脱可能とされている。
（実施の形態４）
図２０及び図２１に示すように実施の形態１のタンクレール４１を上下方向に２分割可能にし、かつ下方側に落下する塵埃を受け止める集塵ケース９４を形成するようにしてもよい。本実施の形態４では集塵ケース９４はレール部５０のようなパチンコ球が流下する部材と一体的に構成されているが、例えば実施の形態２や実施の形態３のようにそれ自体着脱可能なように構成してもよい。
【００２２】
（実施の形態５）
図２２及び図２３に示すように例えば実施の形態２のタンクレール４１の例えば前面壁４６の前面（遊技者側から見て背面側）にバイブレータ装置９５を配設するようにしてもよい。バイブレータ装置９５内部には重心が偏倚した重錘とこれを回転させるモータが配設されており、重錘の回転によって振動を生じさせパチンコ球の各レール部５０上での整列とパチンコ球に付着した塵埃の除去効果が期待される。バイブレータ装置９５は定期的に振動させるよう制御したり払い出し装置ユニット４３の球供給状態検出機構５７と連動させて球切れを検知した段階で振動させるようにしてもよい。
また、可能であれば図２２のように球ならし５４の近傍に配置することで球ならし５４と相まってパチンコ球の整列と塵埃除去がより効果的に行われる。
バイブレータ装置９５はその他の実施の形態に応用してもよい。また、パチンコ球が流下する近傍であればタンクレール４１以外の箇所、例えば払い出し装置ユニット４３の前面壁４６等に配設しても構わない。要はメンテナンスが容易にできる位置であって振動の効果が大きい場所であればよい。
【００２３】
（実施の形態６）
各流路４８ａ，４８ｂ，５５ａ，５５ｂを流下するパチンコ球が同じ部分ばかりと接しないように流下方向に直交する方向の傾斜が変化してパチンコ球が前後方向に揺動しながら流下するように構成してもよい。例えば実施の形態１のタンクレール４１を図２４〜図２６に示すように構成することが可能である。実施の形態６のタンクレール４１は前後に配設された各レール部５０は実施の形態１と同様に全体としてパチンコ球を右方向に流下させるように全体として右下がりの傾斜とされており、かつ流下方向に対して直交する方向に傾斜が設けられている。但し、各レール部５０では所定長さ毎にその傾斜方向が交互に逆方向とされている。具体的には図２５に示すように、緩衝部５２に続く第１のレール部５０ａでは前方向に下がる傾斜とされている。また、第２のレール部５０ｂでは後方向
に下がる傾斜とされ、第３のレール部５０ｃでは再び前方向に下がる傾斜とされている。このように交互に傾斜方向の異なるレール部５０ａ，５０ｂ・・・とされ、各レール部５０ａ，５０ｂ・・・の傾斜の下方にそれぞれ連通孔５１が設けられている。図２４に示すように、隣接する各レール部５０ａ，５０ｂ・・・同士は傾斜方向が逆方向となることに伴って段差部が生じパチンコ球がその部分で停滞しないように上流側のレール部５０ａ，５０ｂ・・・の最も低い位置が隣接する下流側のレール部５０ａ，５０ｂ・・・の最も高い位置となるように構成されている。
このような構成とすることによって実施の形態１に効果に加えレール部５０ａ，５０ｂ・・・ではパチンコ球が一方のみに偏って流下していくのではなく、傾斜方向の異なる隣接するレール部５０ａ，５０ｂ・・・によって前後方向にランダムに流下していくこととなり、一部のみがパチンコ球と接して部分的に摩耗するというような不具合が生じることがなくなる。
尚、実施の形態６では交互の逆方向の傾斜としたが要は傾斜を設けて塵埃を有効に除去できるとともに、傾斜させたことによって同じ箇所ばかりパチンコ球が通過することがないようにすれば足るのであるため、例えば流下方向に対して直交する方向に傾斜を設けるとともに流下面に凹凸を設けたりしてもよい。
また、実施の形態６のタンクレール４１に実施の形態２〜５の集塵ケース９１，９３，９４等を装着することは自由である。
【００２４】
本発明は以下のような態様に変更して実施することが可能である。
・上記実施の形態ではパチンコ球は２列で流下するようになっていたが、１列あるいは３列以上であっても構わない。
・上記実施の形態では払い出し装置ユニット４３の球受けレバー７５のみが交換できるようになっていたが、例えばタンクレール４１の各レール部５０や流下面６３ａ，６３ｂも着脱可能としてもよい。逆に球受けレバー７５を着脱不能なものとしても構わない。
・上記にレール部５０、流下面６３ａ，６３ｂ、球受け板７５ａに設定された傾斜角度を調整可能とすること。
・上記各実施の形態ではタンクＴからタンクレール４１に供給されたパチンコ球が左右方向に流下し、更に払い出し装置ユニット４３に供給されたパチンコ球が下方に流下するパチンコ機であったが、このような流下方向に限定されず例えば前後方向に流下する機種に応用することも可能である。
・本実施の形態のパチンコ機は遊技が完了したパチンコ球を機外に一旦排出・回収するタイプであったが、外部に排出せず機内で循環させるようなタイプに応用することも可能である。
・タンクＴ、タンクレール４１、払い出し装置ユニット４３等の形状は上記実施の形態に限定されず適宜変更可能である。
・反転流路６７内におけるパチンコ球の有無は光センサユニット７２によって検出するようになっていたがこれをその他の手段、例えば磁気センサによって行うようにしても構わない。
・集塵ケース９１，９３，９４等は上記ではプラスチック製であったが、これを金属製とすることも自由である。
その他、本発明の趣旨を逸脱しない態様で実施することは自由である。
【００２５】
上記実施の形態から把握できる本発明のその他の技術的思想について下記に付記として説明する。
（１）  前記流下面は前記タンク直下にあってパチンコ球を左右方向に導くタンクレールに設けられていることを特徴とする請求項１に記載のパチンコ機。
（２）  前記流下面を備えた部材は着脱可能であることを特徴とする付記１に記載のパチンコ機。
これによって、流下面を有する部材のみを交換することが可能となる。
（３）  前記タンクレールの下方には収納ケースに収納された制御機構が配設されていることを特徴とする付記１又は２に記載のパチンコ機。
（４）  前記流下面はタンクレールの下流に配設され払い出し装置にパチンコ球を導く払い出し装置ユニットに設けられていることを特徴とする請求項１若しくは付記１〜３のいずれかに記載のパチンコ機。
（５）前記流下面の流下方向に対して直行する方向に傾斜させた傾斜面の下側には塵埃を排出する排出通路を設けたことを特徴とする請求項１若しくは付記１〜４のいずれかに記載のパチンコ機。
このようにすれば傾斜面の下側に塵埃が滞留せず、排出させることができる
（６）前記流下面の流下方向に対して直行する方向に傾斜させた傾斜面の下側には塵埃を集塵する集塵ケースを設けたことを特徴とする請求項１若しくは付記１〜４のいずれかに記載のパチンコ機。
このようにすれば傾斜面の下側に塵埃が滞留せず、集塵ケースに塵埃を集塵させることができる。
（７）  前記払い出し装置ユニットには通常の流路とは異なるパチンコ球流下機構（上記実施の形態では球抜き機構５８）の操作によってパチンコ球を迂回させるバイパス流路が設けられ、前記流下面は同バイパス流路（上記実施の形態では球抜き流路５９）の上方に配置されることを特徴とする付記４に記載のパチンコ機。
これによって、塵埃が落下する領域をわざわざ設けなくとも常時は使用しないバイパス流路に排出させることができ、小スペース化を図ることが可能となる。
（８）  前記パチンコ球流下機構は常時は流路の一部となり、球抜き時に退避して前記バイパス流路にパチンコ球を迂回させる球受け部を備え、同球受け部を流下面としてパチンコ球を流下させるとともに、流下方向に対して直行する方向に傾斜させ塵埃を前記バイパス流路に導くようにしたことを特徴とする付記７に記載のパチンコ機。
これによって、パチンコ球流下機構の一部の球受け部を利用でき、塵埃を常時は使用しないバイパス流路に排出させることができ、小スペース化を図ることが可能となる。
（９）  前記流下面の流下方向に対して直行する方向の傾斜角度は調整が可能であることを特徴とする請求項１若しくは付記１〜８のいずれかに記載のパチンコ機。
パチンコ球は角度が緩やかなほど流路の幅が広くなって多くのパチンコ球を流下させることができる（流下率向上）。一方、塵埃は角度が急なほど落下し易い。
このように構成すれば上記効果に加え、角度を調整しながらより好適な角度に設定することができる。また、角度を変更することでパチンコ球が同じ箇所ばかりと接することを防止することができる。
（１０）  前記流路には補強部材を配置したことを特徴とする請求項１若しくは付記１〜９のいずれかに記載のパチンコ機。
（１１）  前記流路を流下するパチンコ球に振動を付与する振動付与部材（上記実施の形態ではバイブレータ装置９５）を配設するようにした請求項１若しくは付記１〜１０のいずれかに記載のパチンコ機。
このように構成すれば、パチンコ球の塵埃が効果的に除去できるとともに流下する際に球詰まりを起こすおそれが少なくなる。
（１２）  前記振動付与部材は所定のタイミングで駆動されること。所定のタイミングとは例えば設定された時間や球切れ検出機構（上記実施の形態では球供給状態検出機構５７）の検出に連動する場合などが挙げられる。このように構成すればより効果的に塵埃除去、球詰まり解消が図られる。
【符号の説明】
【００２６】
１…支持枠体としての外枠、４…遊技台としてのパチンコ機本体、５…遊技盤、９…遊技面、２２…機構盤、３９…発射操作機構としてのハンドル、４８ａ，４８ｂ…第１の流路、５０…レール部、５５ａ，５５ｂ…第２の流路、６５…傾斜面、７５ａ…球受け板。
【図１】
2011067676.tif 000003
【図２】
2011067676.tif 000004
【図３】
2011067676.tif 000005
【図４】
2011067676.tif 000006
【図５】
2011067676.tif 000007
【図６】
2011067676.tif 000008
【図７】
2011067676.tif 000009
【図８】
2011067676.tif 000010
【図９】
2011067676.tif 000011
【図１０】
2011067676.tif 000012
【図１１】
2011067676.tif 000013
【図１２】
2011067676.tif 000014
【図１３】
2011067676.tif 000015
【図１４】
2011067676.tif 000016
【図１５】
2011067676.tif 000017
【図１６】
2011067676.tif 000018
【図１７】
2011067676.tif 000019
【図１８】
2011067676.tif 000020
【図１９】
2011067676.tif 000021
【図２０】
2011067676.tif 000022
【図２１】
2011067676.tif 000023
【図２２】
2011067676.tif 000024
【図２３】
2011067676.tif 000025
【図２４】
2011067676.tif 000026
【図２５】
2011067676.tif 000027
【図２６】
2011067676.tif 000028